(57)【要約】【課題】無駄な電力消費をなくし、電源電池の寿命を延ばすことが可能となる閃光装置、及び閃光装置付きカメラ装置、その方法とプログラムを提供する。【解決手段】通常の撮影待機状態にあるＲＥＣモードでは、切替スイッチ８２を介してメインコンデンサ７１を昇圧・充電回路７２側接続し、充電池９１の電力によりメインコンデンサ７１を充電する。ＲＥＣモードから他のモードに移行したら、切替スイッチ８２の切替動作により、メインコンデンサ７１を降圧回路８１側に接続する。降圧回路８１によって、メインコンデンサ７１の充電電圧を４．２Ｖに降圧してカメラの電源回路９３に供給したり、５Ｖに降圧してカメラの電源である充電池９１に供給する。補助光を発光させる必要がなくなったら、自動的に、メインコンデンサ７１から自然放電により消失してしまう電力を、補助光の発光以外の他の動作に有効利用することができる。【選択図】    図２
2004212590.tif 000002
【特許請求の範囲】
【請求項１】
メインコンデンサに充電した電力により撮影時の補助光を発光させる閃光装置において、
前記メインコンデンサの充電電圧を降圧し電力として他へ供給する降圧手段と、
前記メインコンデンサを、当該メインコンデンサの充電回路から前記降圧手段に切り替えて接続する切替動作を行う切替スイッチと、
要求に応じ、前記切替スイッチに切替動作を行わせる制御手段と
を備えたことを特徴とする閃光装置。
【請求項２】
前記メインコンデンサの充電電圧を検出する検出手段を備え、
前記制御手段は、前記検出手段により検出された充電電圧が決められた電圧以上であったとき、前記切替スイッチに切替動作を行わせることを特徴とする請求項１記載の閃光装置。
【請求項３】
前記降圧手段は、降圧したメインコンデンサの電力を他へ供給する複数の給電経路を有したことを特徴とする請求項１又は２記載の閃光装置。
【請求項４】
前記降圧手段は、降圧したメインコンデンサの電力を、当該メインコンデンサの充電に使用される充電池の充電回路に供給することを特徴とする請求項１，２又は３記載の閃光装置。
【請求項５】
前記降圧手段は、降圧したメインコンデンサの電力を、当該メインコンデンサの充電に使用される充電池から電力を供給される他の回路に供給することを特徴とする請求項１，２又は３記載の閃光装置。
【請求項６】
前記降圧手段は、降圧したメインコンデンサの電力を、当該メインコンデンサの充電に使用される充電池の充電回路と、その充電池から電力を供給される他の回路とに供給することを特徴とする請求項１，２又は３記載の閃光装置。
【請求項７】
メインコンデンサに充電した電力により撮影時の補助光を発光させる閃光装置を備えたカメラ装置において、
前記メインコンデンサの充電電圧を降圧し電力として他へ供給する降圧手段と、
前記メインコンデンサを、当該メインコンデンサの充電回路から前記降圧手段に切り替えて接続する切替動作を行う切替スイッチと、
補助光の発光準備を必要とする撮影待機モードの終了に伴い前記切替スイッチに切替動作を行わせる制御手段と
を備えたことを特徴とする閃光装置付きカメラ装置。
【請求項８】
前記制御手段は、前記降圧手段に、降圧したメインコンデンサの電力を、前記撮影待機モードでの動作終了後に所定の動作が行われる間には、メインコンデンサの充電に使用される充電池から電力を供給される他の回路に供給させ、前記所定の動作の終了後には、前記充電池の充電回路に供給させることを特徴とする請求項７記載の閃光装置付きカメラ装置。
【請求項９】
メインコンデンサに充電した電力により撮影時の補助光を発光させる閃光装置を備えたカメラ装置における電力制御方法であって、
補助光の発光準備を必要とする撮影待機モードの終了に伴い、前記メインコンデンサへの充電動作を停止させる工程と、
その充電動作の停止後に、前記メインコンデンサを電源として前記充電動作とは異なる動作を行わせる工程と
を含むことを特徴とする電力制御方法。
【請求項１０】
メインコンデンサに充電した電力により撮影時の補助光を発光させる閃光装置を備えたカメラ装置が有するコンピュータに、
補助光の発光準備を必要とする撮影待機モードの終了に伴い、前記メインコンデンサへの充電動作を停止させる処理と、
その充電動作の停止後に、前記メインコンデンサを電源として前記充電動作とは異なる動作を行わせる処理と
を実行させるためのプログラム。
【発明の詳細な説明】
【０００１】
【発明の属する技術分野】
本発明は、閃光装置、及び閃光装置付きカメラ装置、その方法とプログラムに関する。
【０００２】
【従来の技術】
近年、ＣＣＤ型やＭＯＳ型の固体撮像素子を用いて被写体を撮像し、それを画像データとしてフラッシュメモリ等の記録媒体に記録するデジタルカメラが一般に普及しており、かかるデジタルカメラにおいても、従来の銀塩カメラと同様にストロボ（閃光装置）が搭載されているものがほとんどである。
【０００３】
カメラに内蔵されたストロボは、周知のようにカメラ本体に収容された電池の電圧を昇圧し、それをメインコンデンサに充電しておき、撮影時には、トリガ信号に応じてメインコンデンサに充電された電荷をトリガコイルを介して放電管（キセノン管等）に与え、それを放電発光させるよう構成されている。なお、メインコンデンサの静電容量は、ストロボの発光可能な光量の違いに応じて上下するが５０μＦ〜２００μＦ程度である。
【０００４】
また、デジタルカメラでは、前記メインコンデンサの電圧が発光可能な電圧より下がると、再び充電を開始してストロボ光を常に発光可能な状態としておくものが一般的である。そして、メインコンデンサに充電された電荷は、カメラの電源スイッチがオフ操作された後においてもメインコンデンサに蓄えられた状態を維持され、時間の経過とともに自然放電により消失している（例えば、特許文献１参照。）。
【０００５】
【特許文献１】
特開２０００−１２２１３０号公報
【０００６】
【発明が解決しようとする課題】
しかしながら、前述したように消失する電荷は、メインコンデンサの静電容量をＣ、充電電圧をＶとすると、
（１／２）・Ｃ・Ｖ２・Ｖ
で表すことができ、その分の電力が電池から無駄に消費されている。
【０００７】
一方、近年のデジタルカメラにおいては、使用される記録媒体の大容量化、それに伴う記録可能な画像枚数や、動画の撮影時間の増大により、電池寿命（１回の電池交換や充電による連続使用時間）の長期化が要求されているが、装置の小型化や軽量化、デザインの多様性を維持するには確保できる電源容量に自ずと限界がある。
【０００８】
かかることから、前述したストロボにおける無駄な電力消費を如何にしてなくすかが問題であった。無論それには、ストロボ光を常に発光可能な状態とすることをやめればよいが、その場合には、使い勝手が犠牲となるため、現実的ではなかった。
【０００９】
本発明は、かかる従来の課題に鑑みてなされたものであり、無駄な電力消費をなくし、電源電池の寿命を延ばすことが可能となる閃光装置、及び閃光装置付きカメラ装置、その方法とプログラムを提供することを目的とする。
【００１０】
【課題を解決するための手段】
前記課題を解決するために本発明の請求項１の発明にあっては、メインコンデンサに充電した電力により撮影時の補助光を発光させる閃光装置において、前記メインコンデンサの充電電圧を降圧し電力として他へ供給する降圧手段と、前記メインコンデンサを、当該メインコンデンサの充電回路から前記降圧手段に切り替えて接続する切替動作を行う切替スイッチと、要求に応じ、前記切替スイッチに切替動作を行わせる制御手段とを備えたものとした。
【００１１】
かかる構成においては、メインコンデンサが有する電力を、要求に応じて他へ供給することができるため、補助光を発光させる必要がないときには、メインコンデンサから自然放電により消失されてしまう電力を有効に利用することができる。
【００１２】
また、請求項２の発明にあっては、前記メインコンデンサの充電電圧を検出する検出手段を備え、前記制御手段は、前記検出手段により検出された充電電圧が決められた電圧以上であったとき、前記切替スイッチに切替動作を行わせるものとした。
【００１３】
かかる構成においては、次回、補助光の発光を目的としてメインコンデンサを充電するときの充電時間が、いたずらに長くなることが防止できる。
【００１４】
また、請求項３の発明にあっては、前記降圧手段は、降圧したメインコンデンサの電力を他へ供給する複数の給電経路を有したものとした。
【００１５】
かかる構成においては、メインコンデンサが有する電力を、用途に応じた異なる電圧で他へ供給可能となる。
【００１６】
また、請求項４の発明にあっては、前記降圧手段は、降圧したメインコンデンサの電力を、当該メインコンデンサの充電に使用される充電池の充電回路に供給するものとした。
【００１７】
かかる構成においては、メインコンデンサの電力を、そのメインコンデンサの充電に使用される充電池の充電に利用することができる。
【００１８】
また、請求項５の発明にあっては、前記降圧手段は、降圧したメインコンデンサの電力を、当該メインコンデンサの充電に使用される充電池から電力を供給される他の回路に供給するものとした。
【００１９】
かかる構成においては、メインコンデンサの電力を、そのメインコンデンサの充電に使用される充電池の充電以外の用途に利用することができる。
【００２０】
また、請求項６の発明にあっては、前記降圧手段は、降圧したメインコンデンサの電力を、当該メインコンデンサの充電に使用される充電池の充電回路と、その充電池から電力を供給される他の回路とに供給するものとした。
【００２１】
かかる構成においては、メインコンデンサの電力を、そのメインコンデンサの充電に使用される充電池の充電と、それ以外の用途に利用することができる。
【００２２】
また、請求項７の発明にあっては、メインコンデンサに充電した電力により撮影時の補助光を発光させる閃光装置を備えたカメラ装置において、前記メインコンデンサの充電電圧を降圧し電力として他へ供給する降圧手段と、前記メインコンデンサを、当該メインコンデンサの充電回路から前記降圧手段に切り替えて接続する切替動作を行う切替スイッチと、補助光の発光準備を必要とする撮影待機モードの終了に伴い前記切替スイッチに切替動作を行わせる制御手段とを備えたものとした。
【００２３】
かかる構成においては、補助光の発光準備を必要とする撮影待機モードでの動作が終了したとき、すなわち補助光の発光準備が不用となったときには、自動的にメインコンデンサが有する電力を他へ供給することができるため、自然放電により消失されてしまう電力を有効に利用することができる。
【００２４】
また、請求項８の発明にあっては、前記制御手段は、前記降圧手段に、降圧したメインコンデンサの電力を、前記撮影待機モードでの動作終了後に所定の動作が行われる間には、メインコンデンサの充電に使用される充電池から電力を供給される他の回路に供給させ、前記所定の動作の終了後には、前記充電池の充電回路に供給させるものとした。
【００２５】
かかる構成においては、メインコンデンサが有する電力が、撮影待機モードでの動作終了後に行われる動作に直接利用されるため、メインコンデンサが有する電力の利用効率を上げることができる。
【００２６】
また、請求項９の発明にあっては、メインコンデンサに充電した電力により撮影時の補助光を発光させる閃光装置を備えたカメラ装置における電力制御方法であって、補助光の発光準備を必要とする撮影待機モードの終了に伴い、前記メインコンデンサへの充電動作を停止させる工程と、その充電動作の停止後に、前記メインコンデンサを電源として前記充電動作とは異なる動作を行わせる工程とを含む方法とした。
【００２７】
かかる方法によれば、メインコンデンサが有する電力を、補助光の発光準備を必要とする撮影待機モードの終了に伴い他へ供給することができるため、補助光を発光させる必要がないときには、メインコンデンサから自然放電により消失されてしまう電力を有効に利用することができる。
【００２８】
また、請求項１０の発明にあっては、メインコンデンサに充電した電力により撮影時の補助光を発光させる閃光装置を備えたカメラ装置が有するコンピュータに、補助光の発光準備を必要とする撮影待機モードの終了に伴い、前記メインコンデンサへの充電動作を停止させる処理と、その充電動作の停止後に、前記メインコンデンサを電源として前記充電動作とは異なる動作を行わせる処理とを実行させるためのプログラムとした。
【００２９】
【発明の実施の形態】
以下、本発明の一実施の形態を図にしたがって説明する。図１は、本発明に係るデジタルカメラ１の概略構成を示すブロック図である。
【００３０】
デジタルカメラ１は制御装置２と、この制御装置によって動作を制御される撮像部３と、画像記録部４、表示装置５、キー入力ブロック６、ストロボブロック７、降圧ブロック８、電源ブロック９から構成されている。また、本実施の形態では、制御装置２と、ストロボブロック７、降圧ブロック８、電源ブロック９により本発明の閃光装置が実現されている。
【００３１】
制御装置２は、所定のプログラムが格納されたＲＯＭや、作業用のＲＡＭを有し、画像データの圧縮・伸張を含む各種デジタル信号処理機能を備えたマイコンであって、ＲＯＭに格納されているプログラムに従い動作することにより本発明の制御手段として機能する。
【００３２】
撮像部３は、被写体像を結像する光学系や、光学系の駆動機構に設けられているレンズモータ、光学系により結像された被写体を光電変換により撮像するＣＣＤ等の撮像素子、撮像素子が出力した撮像信号の増幅やデジタル信号への変換等を行う信号処理回路等からなり、デジタルの撮像信号を制御装置２へ送る。
【００３３】
画像記録部４は、フラッシュメモリや、本体に着脱自在なカードメモリ等から構成され、撮像部３により撮像された後、制御装置２によってＪＰＥＧ方式等で圧縮された被写体の圧縮画像を記録する。なお、必要に応じて、その他のデータも記録する。
【００３４】
表示装置５は、液晶表示器及びその駆動回路から構成されており、撮影用のＲＥＣモードでシャッターキーが押されていない撮影待機状態において、撮像部３により撮像された画像をスルー画像として表示し、記録画像再生用のＰＬＡＹモードでは、画像記録部４から読み出された画像を表示する。
【００３５】
キー入力ブロック６は、前記シャッタキーや画像選択キー、動作モードを設定するモードキー、電源スイッチ等の各種の操作キーから構成されている。キー入力ブロック６には、制御装置２から割り込み処理によってスキャン信号が逐次送られており、ユーザーによっていずれかの操作キーが操作されると、それが制御装置２によって検出される。
【００３６】
図２は、前記ストロボブロック７と、降圧ブロック８、電源ブロック９の詳細を示すブロック図である。電源ブロック９は、デジタルカメラ１の電源であるリチュウムイオン等の充電池９１と、ＡＣアダプター１００を介して家庭用電源等から供給された電気エネルギーを充電池９１に供給する充電回路９２、充電池９１の電力を他のブロックへ供給する電源回路９３から構成されている。
【００３７】
ストロボブロック７は、充電池９１の３．４Ｖの電圧を３００Ｖ程度に昇圧し、昇圧した電圧をメインコンデンサ７１へ供給する昇圧・充電回路７２と、光源となるキセノン管等の放電管、及びメインコンデンサ７１の電圧を２ＫＶ以上に昇圧して放電管を放電させるためのトリガコイルとその駆動素子からなる発光部７３と、昇圧・充電回路７２及び発光部７３の動作を制御するストロボ制御回路７４とから構成されている。
【００３８】
ストロボ制御回路７４は、撮影時に前記制御装置２から送られるトリガ信号に応じて前記駆動素子にトリガコイルを駆動させて放電管を放電し、撮影時の補助光を発光させる。また、昇圧・充電回路７２を介してメインコンデンサ７１の充電電圧を検出する本発明の検出手段であるとともに、昇圧・充電回路７２におけるメインコンデンサ７１の充電動作を制御する。なお、本実施の形態においては、メインコンデンサ７１の充電電圧が放電管を発光させ得る値（１００Ｖ）以上で、かつ上限値（３３０Ｖ）以下となるよう制御する（図３参照）。
【００３９】
前記降圧ブロック８は、メインコンデンサ７１の電圧を下げて電源ブロック９へ供給する降圧回路８１と、メインコンデンサ７１の接続を、ストロボブロック７の昇圧・充電回路７２（図でｂ側）と降圧回路８１（図でａ側）とに切り替える切替スイッチ８２とから構成されている。降圧回路８１から電源ブロック９への給電は、出力電圧がそれぞれ５Ｖと４．２Ｖとに設定された第１の給電線８ａ、及び第２の給電線８ｂを介して行われ、第１の給電線８ａ（５Ｖ側）が前記充電回路９２に接続されるとともに、第２の給電線８ｂ（４．２Ｖ側）前記電源回路９３に接続されている。また、降圧回路８１と切替スイッチ８２の動作は制御装置２によって制御されており、降圧回路８１は、第１の給電線８ａ又は第２の給電線８ｂのいずれかを介して電源ブロック９との接続状態を維持するよう制御される。
【００４０】
次に、以上の構成において、前記キー入力ブロック６の電源キーがユーザーにより操作されたときの動作を図４及び図５のフローチャートに従い説明する。
【００４１】
図４は、制御装置２が電源キーのオン操作を検出したとき実行する割り込み処理の内容を示したフローチャートである。制御装置２は処理開始に伴い、電源回路９３に図１に示した各部への電力供給を開始させた後（ステップＳＡ１）、直ちに降圧ブロック８の切替スイッチ８２をａ側に設定する（ステップＳＡ２）。引き続き、モードキーによる動作モードの設定状態を検出し（ステップＳＡ３）、ＲＥＣモードでなければ（ステップＳＡ４でＮＯ）、そのまま処理を終了し、ＰＬＡＹモード等の他の動作モードの処理へ移行する。一方、ＲＥＣモードが設定されていたときには（ステップＳＡ４でＹＥＳ）、ＲＥＣモードでの動作に必要な各種パラメータの初期設定を行い（ステップＳＡ５）、撮像部３におけるレンズ繰り出し操作を行った後（ステップＳＡ６）、ストロボ制御回路７４にメインコンデンサ７１への充電を開始させる（ステップＳＡ７）。
なお、ここでは、ユーザーにより電源キーのオン操作されたときの動作を説明したが、例えば電源キーのオン操作された後の使用中において、ユーザーによって動作モードの変更操作があったときにおいても、前述したステップＳＡ２以降の処理が行われる。
【００４２】
また、図５は制御装置２が電源キーのオフ操作を検出したとき実行する割り込み処理を示したフローチャートである。制御装置２は処理開始に伴い、モードキーによる動作モードの設定状態を検出し（ステップＳＢ１）、ＲＥＣモードでなければ（ステップＳＢ２でＮＯ）、直ちに電源回路９３による各部への電力供給を停止して（ステップＳＢ１０）、処理を終了する。なお、その場合でも、図示しないがＰＬＡＹモード等の他の動作モードに対応する処理は行う。
【００４３】
また、ＲＥＣモードが設定されていたときには（ステップＳＢ２でＹＥＳ）、さらに、ストロボ制御回路７４により検出されているメインコンデンサ７１の充電電圧が、予め決められている電圧以上、すなわち本実施の形態では１００Ｖ以上であるか否かを判別する（ステップＳＢ３）。ここで、充電電圧が１００Ｖ以上であれば（ステップＳＢ３でＹＥＳ）、降圧ブロック８の切替スイッチ８２をｂ側に設定するとともに、降圧回路８１に、電源ブロック９の電源回路９３に対する第２の給電線８ｂによる給電を開始させる（ステップＳＢ４）。
【００４４】
次に、撮像部３にレンズの収納動作を行わせ（ステップＳＢ５）、さらにＲＥＣモードでの動作に必要な各種パラメータをフラッシュメモリ等に記憶する（ステップＳＢ６）。さらに、降圧回路８１に、電源ブロック９の充電回路９２に対する第１の給電線８ｂによる給電、すなわち充電池９１の充電動作を開始させた後（ステップＳＢ８）、電源回路９３による各部への電力供給を停止して（ステップＳＢ１０）、処理を終了する。つまり、電源オフ操作に伴う動作をメインコンデンサ７１に残っている電力を利用して行い、更に余った電力を充電池９１に戻すようにする。
【００４５】
一方、前述したステップＳＢ３の判別結果がＮＯであって、電源キーのオフ操作があった時点におけるメインコンデンサ７１の充電電圧が１００Ｖに達していなかったとき、例えばストロボを使った撮影が行われた直後や、電源キーがオン操作されてからの経過時間が僅かであったときには、前述したレンズの収納動作と、各種パラメータの記憶のみを行ってから（ステップＳＢ８、ＳＢ９）、電源回路９３による各部への電力供給を停止して（ステップＳＢ１０）、処理を終了する。つまり、メインコンデンサ７１の少ない充電状態をそのまま維持する。
【００４６】
以上のように、本実施の形態においては、電源キーがオフ操作された時点でＲＥＣモードが設定されていたとき、つまり補助光の発光準備が不用となったときには、メインコンデンサ７１の充電電圧が１００Ｖ以上であれば、自動的に、メインコンデンサ７１に残っている電力を電源オフ操作に伴う動作に利用し、更に余った電力を充電池９１に戻すようにした。これにより、従来は自然放電により消失されていた、メインコンデンサ７１に残った電力を有効に利用することができる。よって、無駄な電力消費をなくし、充電池の寿命、すなわち１回の電池交換や充電による連続使用時間を延ばすことができる。しかも、メインコンデンサ７１に残っている電力を電源オフ操作に伴う動作に直接利用することができるため、その利用効率が高い。
【００４７】
さらに、メインコンデンサ７１の充電電圧が１００Ｖ未満であった場合には、その充電電圧がそのまま維持されるため、次回電源がオン操作されたときのメインコンデンサ７１の充電時間が、いたずらに長くなることが防止できる。よって、上述した電池寿命の長期化を図ると同時に、それに伴う使い勝手の低下を最小限度にとどめることができる。
【００４８】
なお、電池寿命の長期化のみを図る場合には、前述したメインコンデンサ７１の充電状態（残存電力）を確認せずに、その電力を無条件に利用するようにしてもよい。但し、その場合であっても、前述したメインコンデンサ７１の充電状態が、降圧回路８１から電源ブロック９への供給電圧が確保できない状態であるときには、それが維持されることとなる。
【００４９】
また、前述したようにメインコンデンサ７１の電力の供給先を電源回路９３と充電回路９２とし、その供給先を切り替え可能な構成としたが、これに限らず、上記残存電力を常に双方の供給先へ供給させる構成としてもよい。但し、本実施の形態のように、供給先が必要とする電圧が異なる場合には、切り替え可能な構成とした方が残存電力の使い勝手がよくなる。
【００５０】
また、本実施の形態においては、主としてＲＥＣモードが設定されている状態で電源オフ操作が行われた場合の動作について説明したが、これ以外にも、例えばユーザーにより、ＲＥＣモードからＰＬＡＹモードや動画撮影用のムービーモード等の他の動作モードへのモード切替が行われたとき、メインコンデンサ７１の残存電力をそれらの動作モードでの動作に利用すれば、より一層の効果が得られる。また、ＲＥＣモードにおいてストロボの使用禁止が設定されたときにおいても同様である。
【００５１】
また、本実施の形態では、メインコンデンサ７１の残存電力を充電池９１の充電動作と、それ以外の動作に使用するようにしたが、充電池９１の充電動作のみに使用する構成としてもよい。また、メインコンデンサ７１の残存電力は変動するため、例えばそれを使用する動作が複数存在する場合には、残存電力に応じて、それを使用する動作を切り替えるようにしてもよい。
【００５２】
また、撮像素子に撮像した被写体の画像をデジタルデータとして記録するデジタルカメラに本発明を採用した場合について説明したが、これ以外にも、ストロボを備えたカメラ装置であれば、カメラ付き携帯電話、カメラ付きＰＤＡ、さらに、ストロボ付きの銀塩カメラにも採用することができる。その場合においても本実施の形態と同一の効果が得られる。特に、カメラ付き携帯電話では電源容量の制限が大きいため、より顕著な効果を得ることができる。
【００５３】
また、本発明の閃光装置は、必ずしもデジタルカメラ等に内蔵されたものである必要はなく、デジタルカメラ等に別途接続される別体の閃光装置であっても構わない。
【００５４】
【発明の効果】
以上説明したように請求項１の閃光装置においては、補助光を発光させる必要がないときには、メインコンデンサから自然放電により消失されてしまう電力を有効に利用することができるようにした。よって、無駄な電力消費をなくし、メインコンデンサの充電等に使用される電源電池の寿命を延ばすことが可能となる。
【００５５】
また、請求項２の閃光装置においては、次回、補助光の発光を目的としてメインコンデンサを充電するときの充電時間が、いたずらに長くなることが防止できるようにした。よって、上述した電池寿命の長期化を図ると同時に、それに伴う使い勝手の低下を最小限度にとどめることが可能となる。
【００５６】
また、請求項３の閃光装置においては、メインコンデンサが有する電力を、用途に応じた異なる電圧で他へ供給可能となるようにした。よって、使い勝手が向上させることができる。
【００５７】
また、請求項４の閃光装置においては、メインコンデンサの電力を、そのメインコンデンサの充電に使用される充電池の充電に利用することができるできるようにした。よって、使い勝手が向上する。
【００５８】
また、請求項５の閃光装置においては、メインコンデンサの電力を、そのメインコンデンサの充電に使用される充電池の充電以外の用途に利用することができるようにした。よって、使い勝手が向上する。
【００５９】
また、請求項６の閃光装置においては、メインコンデンサの電力を、そのメインコンデンサの充電に使用される充電池の充電と、それ以外の用途に利用することができるようにした。よって、使い勝手がさらに向上する。
【００６０】
また、請求項７のカメラ装置においては、補助光の発光準備が不用となったときには、自動的に、メインコンデンサから自然放電により消失されてしまう電力を有効に利用することができるようにした。よって、無駄な電力消費をなくし、カメラ装置における電源電池の寿命を延ばすことが可能となる。
【００６１】
また、請求項８のカメラ装置においては、メインコンデンサが有する電力の利用効率を上げることができるようにした。よって、無駄な電力消費をなくし、カメラ装置における電源電池の寿命をより一層延ばすことが可能となる。
【００６２】
また、請求項９の電力制御方法においては、補助光を発光させる必要がないときには、メインコンデンサから自然放電により消失されてしまう電力を有効に利用することができるようにした。よって、無駄な電力消費をなくし、カメラ装置における電源電池の寿命を延ばすことが可能となる。
【図面の簡単な説明】
【図１】本発明の一実施の形態を示すデジタルカメラのブロック図である。
【図２】同デジタルカメラの要部を示すブロック図である。
【図３】メインコンデンサにおける充電電圧の設定値を示す図である。
【図４】同デジタルカメラにおいて電源キーがオン操作されたときの動作を示すフローチャートである。
【図５】同デジタルカメラにおいて電源キーがオフ操作されたときの動作を示すフローチャートである。
【符号の説明】
１    デジタルカメラ
２    制御装置
４    画像記録部
７    ストロボブロック
７１    メインコンデンサ
７２    昇圧・充電回路
７３    発光部
７４    ストロボ制御回路
８    降圧ブロック
８ａ    第１の給電線
８ｂ    第２の給電線
８１    降圧回路
８２    切替スイッチ
９    電源ブロック
９１    充電池
９２    充電回路
９３    電源回路
【図１】
2004212590.tif 000003
【図２】
2004212590.tif 000004
【図３】
2004212590.tif 000005
【図４】
2004212590.tif 000006
【図５】
2004212590.tif 000007